(57)【要約】【課題】結像素子の熱膨張時に作用する摩擦力による反りを簡単な構成により防止して反り変形による異常画像の発生を防止することが可能な構成を備えた光走査装置を提供する。【解決手段】光源と偏向器と走査結像素子１００を用いて被走査面上に光を結像させて走査する光走査装置において、該走査結像素子１００は少なくとも副走査方向において、弾性部材と突き当て部材３００とで挟まれて保持され、該走査結像素子１００における該副走査方向で上記突き当て部材３００に当接する当接部１００Ａは、走査結像素子１００の副走査方向の最大幅Ｈよりも内側Ｈ１で副走査方向の中心側に近づけた部分に当接面が設けられていることを特徴とする。【選択図】図１
2008058692.tif 000002
【特許請求の範囲】
【請求項１】
光源と偏向器と走査結像素子を用いて被走査面上に光を結像させて走査する光走査装置において、
該走査結像素子は少なくとも副走査方向において、弾性部材と突き当て部材とで挟まれて保持され、
該走査結像素子における該副走査方向で上記突き当て部材に当接する当接部は、走査結像素子の副走査方向の最大幅よりも内側となる部分に設けられていることを特徴とする光走査装置。
【請求項２】
請求項１記載の光走査装置において、
該走査結像素子の該突き当て部材に当接する当接部は、走査結像素子の光学面に対して主走査方向外側に位置することを特徴とする光走査装置。
【請求項３】
請求項１記載の光走査装置において、
該走査結像素子の該突き当て部材に当接する当接部は、走査結像素子の副走査方向での最大幅の１／４以上、内側に当接面が設けられていることを特徴とする光走査装置。
【請求項４】
請求項１記載の光走査装置において、
該走査結像素子の該突き当て部材に当接する当接部は、走査結像素子外形の副走査方向の中心近傍に位置することを特徴とする光走査装置。
【請求項５】
請求項１記載の光走査装置において、
該当接部を、主走査方向に少なくとも２ヶ所備え、かつ主走査方向において該２ヶ所の当接部の間に、該結像素子の副走査方向の湾曲量を調整する調整手段を少なくとも１つ備えることを特徴とする光走査装置。
【請求項６】
請求項５記載の光走査装置において、
該調整手段は、該走査結像素子に略点接触することを特徴とする光走査装置。
【請求項７】
請求項５記載の光走査装置において、
該走査結像素子を該調整手段に対して押圧する弾性部材を設け、
該突き当て部材に対して押圧する弾性部材による押圧力よりも、該調整手段に対して押圧する弾性部材による押圧力の方が大きいことを特徴とする光走査装置。
【請求項８】
光源と偏向器と走査結像素子を用いて被走査面上に光を結像させて走査する光走査装置において、
該走査結像素子は少なくとも副走査方向において、弾性部材と突き当て部材とで挟まれて保持され、
該走査結像素子における該副走査方向で上記突き当て部材に当接する当接部は、主走査方向において、走査結像素子の光学面の幅よりも内側に設けられていることを特徴とする光走査装置。
【請求項９】
請求項８記載の光走査装置において、
該当接部は、走査結像素子の主走査方向の長さの１／４以上内側に位置することを特徴とする光走査装置。
【請求項１０】
請求項８または９記載の光走査装置において、
該当接部を、主走査方向に少なくとも２ヶ所備え、かつ主走査方向において該２ヶ所の間に、該結像素子の副走査方向の湾曲量を調整する調整手段を少なくとも１つ備えることを特徴とする光走査装置
【請求項１１】
請求項１乃至１０のいずれかに記載の光走査装置を用いて、像担持体上に潜像を書き込み、該潜像を現像手段によって現像して画像を形成することを特徴とする画像形成装置。
【発明の詳細な説明】
【技術分野】
【０００１】
本発明は光走査装置およびそれを用いたデジタル複写機、レーザプリンタ等の画像形成装置に関し、さらに詳しくは、走査光学系に用いられるレンズの反り防止機構に関する。
【背景技術】
【０００２】
画像形成装置の高速化、高密度化が進んでおり、これに伴い画像形成装置に用いられる光走査装置のポリゴンスキャナの回転速度が３０，０００〜５０，０００ｒｐｍ程度にまで高まってきている。ここで、ポリゴンスキャナの回転速度が速くなると回転駆動部の摩擦による発熱や、回路に流れる電流による発熱量が増大する。ポリゴンスキャナによる発熱量が増大すると、光走査装置内の空気や光学箱の温度が上昇することによって走査結像素子の温度も上昇する。
【０００３】
特に、近年では、走査特性の向上を意図して、光走査装置の結像光学系に、非球面に代表される特殊な面を採用することが一般化しており、このような特殊な面を容易に形成でき、なおかつコストも安価な樹脂材料で製作された走査結像素子が多用されている。
【０００４】
樹脂材料の走査結像素子は、温度や湿度の変化の影響を受け光学特性が変化しやすく、このような光学特性の変化は、走査線の曲がり具合や等速性を変化させる。このため、例えば、数十枚のカラー画像の形成を連続して行う場合に、画像形成装置の連続運転により機内温度が上昇し、結像光学系の光学特性が変化して、各光書込装置の書き込む走査線の曲がり具合や等速性が次第に変化し、色ずれの現象により、初期に得られたカラー画像と終期に得られたカラー画像とで色合いが初期の内容と異なるものになることがある。
【０００５】
このように、樹脂製走査結像素子の温度が上昇すると走査結像素子が熱膨張するが、この熱膨張を妨げる形態にて走査結像素子を保持していると、走査結像素子の変形が生じることは従来から知られており、両端をばねで押圧して保持することによって、走査結像素子の長手方向の熱膨張を妨げずに保持するような構成を採用する場合がある。
【０００６】
図１３に従来、一般的に用いられている走査結像素子保持の構成例を示す。図１３においてX方向が主走査方向、Y方向が副走査方向、そして紙面に対して直角な方向に相当するZ方向が光軸方向である。
【０００７】
上記構成の走査結像素子においては、その両端を押圧するためのばねを用いると、熱膨張は妨げないが、走査結像素子が熱膨張する際に走査結像素子と支持部材（ばねで押し付ける相手側の部材）との間に摩擦力が生じ、この摩擦力が膨張方向への変形を妨げる反力となる。このため、支持部材と当接しているレンズの面ではレンズの副走査方向中心、いわゆる、レンズの母線位置からの距離によってモーメントが発生し、これがレンズの反り変形として現れることを本発明者は掴んだ。
【０００８】
この摩擦力によって走査結像素子の反り変形が発生することを有限要素法を用いたシミュレーションにて確認した結果を図１４および図１５に示す。
【０００９】
走査結像素子が副走査方向に反り変形を生じると、被走査面上における光の走査線の曲がりが発生する。  
走査光学系の設計にもよるが、一般的な走査光学系において、被走査面上における走査線の曲がり量は走査結像素子の曲がり量の１倍から数倍程度に対応するので、例えば走査結像素子が図１４に示す、６８μｍの曲がりを生じると、被走査面上の光の走査線の曲がり量は１００μｍ前後となる。  
ここで例えば１２００ｄｐｉの画像形成装置では、走査線の副走査方向のピッチが２１．２μｍなので、上記走査線の曲がり量はこの５倍程度にも達することから、出力画像の劣化は著しい。特に像担持体を複数、各色ごとに設けて最終的に各色を重ね合わせてカラー画像を出力するタンデム型のカラー画像形成装置では、像担持体（被走査面）ごとに走査線の曲がり量が異なった場合に、出力画像に色ずれを生じるため、走査線の曲がりの影響はより大きい。
【００１０】
なお、光走査装置や走査結像素子の温度上昇は、ポリゴンスキャナによってのみ生じるわけではなく、たとえば定着装置、電源、ＰＣＢ（ＩＣ等を搭載した基板）など、画像形成装置内の発熱源からも影響を受ける。
【００１１】
摩擦力によって走査結像素子の反り変形が生じることはわかっていなかったものの、従来から温度変動時の走査結像素子の変形を低減しようという試みがなされている（例えば、特許文献１）。
【００１２】
特許文献１には、走査結像素子の湾曲を主走査方向における多点で矯正し、かつ温度変動時についても高剛性部材を用いることでその矯正状態を保つようにしている。
【００１３】
【特許文献１】特開２００５−２４１７５３号公報（段落「００４４」欄）
【発明の開示】
【発明が解決しようとする課題】
【００１４】
しかしながらこのような構成を取るためには部品点数が増大してコストも増大する他、装置が大型化してしまうという問題がある。
【００１５】
本発明は、上記従来の光走査装置およびこれを用いた画像形成装置における問題に鑑み、結像素子の熱膨張時に作用する摩擦力による反りを簡単な構成により防止して反り変形による異常画像の発生を防止することが可能な構成を備えた光走査装置および画像形成装置を提供することにある。
【課題を解決するための手段】
【００１６】
この目的を達成するため、請求項１記載の発明は、光源と偏向器と走査結像素子を用いて被走査面上に光を結像させて走査する光走査装置において、該走査結像素子は少なくとも副走査方向において、弾性部材と突き当て部材とで挟まれて保持され、該走査結像素子における該副走査方向で上記突き当て部材に当接する当接部は、走査結像素子の副走査方向の最大幅よりも内側となる部分に設けられていることを特徴としている。
【００１７】
請求項２記載の発明は、請求項１記載の光走査装置において、該走査結像素子の該突き当て部材に当接する当接部は、走査結像素子の光学面に対して主走査方向外側に位置することを特徴としている。
【００１８】
請求項３記載の発明は、請求項１記載の光走査装置において、該走査結像素子の該突き当て部材に当接する当接部は、走査結像素子の副走査方向での最大幅の１／４以上、内側に当接面が設けられていることを特徴としている。
【００１９】
請求項４記載の発明は、請求項１記載の光走査装置において、該走査結像素子の該突き当て部材に当接する当接部は、走査結像素子外形の副走査方向の中心近傍に位置することを特徴としている。
【００２０】
請求項５記載の発明は、請求項１記載の光走査装置において、該当接部を、主走査方向に少なくとも２ヶ所備え、かつ主走査方向において該２ヶ所の当接部の間に、該結像素子の副走査方向の湾曲量を調整する調整手段を少なくとも１つ備えることを特徴としている。
【００２１】
請求項６記載の発明は、請求項５記載の光走査装置において、該調整手段は、該走査結像素子に略点接触することを特徴としている。
【００２２】
請求項７記載の発明は、請求項５記載の光走査装置において、該走査結像素子を該調整手段に対して押圧する弾性部材を設け、該突き当て部材に対して押圧する弾性部材による押圧力よりも、該調整手段に対して押圧する弾性部材による押圧力の方が大きいことを特徴としている。
【００２３】
請求項８記載の発明は、光源と偏向器と走査結像素子を用いて被走査面上に光を結像させて走査装置において、該走査結像素子は少なくとも副走査方向において、弾性部材と突き当て部材とで挟まれて保持され、該走査結像素子における該副走査方向で上記突き当て部材に当接する当接部は、主走査方向において、走査結像素子の光学面の幅よりも内側に設けられていることを特徴としている。
【００２４】
請求項９記載の発明は、請求項８記載の光走査装置において、該当接部は、走査結像素子の主走査方向の長さの１／４以上内側に位置することを特徴としている。
【００２５】
請求項１０記載の発明は、請求項８または９記載の光走査装置において、該当接部を、主走査方向に少なくとも２ヶ所備え、かつ主走査方向において該２ヶ所の間に、該結像素子の副走査方向の湾曲量を調整する調整手段を少なくとも１つ備えることを特徴としている
請求項１１記載の発明は、請求項１乃至１０のいずれかに記載の光走査装置を用いる画像形成装置であって、像担持体上に潜像を書き込み、該潜像を現像手段によって現像して画像を形成することを特徴としている。
【発明の効果】
【００２６】
本発明によれば、走査結像素子に副走査方向のモーメントを発生させる原因を取り除くことにより、そのモーメントにより発生する副走査方向の反り変形を防止することができる。特に請求項１乃至４記載の発明においては、走査結像素子の副走査方向で突き当て部材に当接する当接部の位置を副走査方向の最大幅よりも内側で副走査方向での最大幅の１／４以上、内側とし、かつ、副走査方向の中心近傍とすることで、副走査方向中心から当接部までの距離を低減して摩擦力が発生した場合のモーメントを小さくすることにより副走査方向での反り変形を少なくして走査線曲がりを抑えることが可能となる。
【００２７】
請求項５及び１０記載の発明においては、当接部を主走査方向の少なくとも２カ所も受け、当接部間に結像素子の副走査方向での湾曲量を調整する調整手段を設けているので、温度変化時での走査線曲がりを調整して走査線曲がりの変動を小さく抑えることができる。
【００２８】
請求項６及び７記載の発明においては、調整部材のピボット支持及び押圧支持により走査線曲がりの矯正を効率よく行うことができる。
【００２９】
請求項８および９記載の発明においては、突き当て部材に当接する当接部が主走査方向において走査結像素子の光学面よりも内側に位置し、さらにその位置として主走査方向の１／４以上、内側に設定していることにより摩擦力が作用する位置を光学面内に位置させてそれらの位置間隔を短くできるので、摩擦力が作用した際に発生する副走査方向のモーメントに対する剛性を高めることができ、しかも、剛性を高めるための構成が結像素子のサイズを大きくすることなく得ることができる。
【００３０】
請求項１１記載の発明においては、結像素子の走査線曲がりが生じる原因となる結像素子の反り変形を防止して異常画像の発生を防止して高品質の画像を得ることが可能となる。
【発明を実施するための最良の形態】
【００３１】
以下、図に示す実施例により本発明を実施するための最良の形態について説明する。  
図１に本発明の第１実施例を示す。図１において、走査結像素子１００の副走査方向の最大幅はＨであるが、走査結像素子の主走査方向両端に、ＨからＨ１だけ副走査方向で内側に入った段差からなる当接部１００Ａを設けている。  
そしてこの段差部で構成された当接部１００Ａをこの当接部１００Ａに突き当たる支持部材３００に対してバネなどの弾性部材を用いて押圧して（図１ではＦ：バネ押圧力と示してある）、この走査結像素子１００を保持している。
【００３２】
本実施例の構成を用いて、走査結像素子１００の反り変形をシミュレーションした結果を図３および図４に示す。なお、図２は、図１に示した構成の走査結像素子１００を対象とするシミュレーションモデルを示す図であり、図中、符号Ｌは走査結像素子１００の主走査方向の最大長さを、符号Ｈは前述した副走査方向の最大幅を、符号Ｄは紙面に対して直角な方向での最大幅をそれぞれ示している。  
図３および図４では、外力（摩擦力）が作用する位置Ｈ２を変化させたときの、走査結像素子の反り変形量の変化を表およびグラフで示した。  
図３は、サイズ条件として、Ｈ１０×Ｄ１０×Ｌ２００ｍｍの形状をした走査結像素子１００についてのシミュレーション結果であり、図４は、サイズ条件が、Ｈ８×Ｄ１０×Ｌ１６０ｍｍの形状をした走査結像素子１００についてのシミュレーション結果を示している。
【００３３】
図３および図４から明らかなように、Ｈ２と反り変形量とはほとんど線形の関係にあり、従って例えばＨ２をＨの４分の１以下（例えば図３の場合、Ｈ２≦２．５ｍｍ）にすれば、従来（最大幅Ｈ０の位置で保持した場合：図３においては、Ｈ２＝５ｍｍ）に比べて反り変形量を半分以下にできる。
【００３４】
このような反り変形量が低減される理由としては、摩擦力が作用する位置に応じた副走査方向の中心位置からの距離により発生するモーメントの大きさに影響することが考えられる。つまり、摩擦力が作用する当接面では膨張時の伸張変形する際に対抗する反力（図２中、符号Ｐで示す力）が発生する。このため、副走査方向中心を基準として摩擦力が作用する当接面側には主走査方向中心に向けた方向のモーメントが発生し、結果として、主走査方向中央部が浮き上がるような反り変形が現れる。そこで、本実施例においては、モーメントの発生原因である副走査方向中心から摩擦力作用位置までの距離を短くすることで上述したモーメントの発生を抑制できることになる。
【００３５】
またＨ２を０（ゼロ）近傍、すなわち支持部材３００に接触する位置を、走査結像素子１００の最大幅の中心近傍にすれば、走査結像素子の熱膨張時に発生する摩擦力による反り変形はほとんどなくすことができる。なお、結像素子としての光学的特性を損ねないようであれば、結像素子１００の母線位置に相当する結像素子１００の副走査方向最大幅の中心に一致させることも可能である。
【００３６】
また、本実施例のように、主走査方向の光学面の幅よりも外側に、支持部材３００への突き当て部、いわゆる、当接部１００Ａを設けることによって、副走査方向の突き当て部を走査結像素子の最大幅の中心近傍に設ける（Ｈ２を小さくする）ことが容易となる。
【００３７】
本実施例によれば、摩擦力が作用する結像素子１００の当接部における反り変形防止構造を結像素子自体の構成内で得ることができるので、特許文献１に開示されているような主走査方向での反り変形抑止部材を設けることなく簡単な構成により反り変形の防止と走査線曲がりの防止を行うことが可能となる。
【００３８】
図５には、本発明の第２実施例が示され、そして図６には、図５における走査結像素子１００の下面の状態が示されている。  
図５に示すように、走査結像素子１００の下面に凹部１００Ｂを設け、この凹部１００Ｂを支持部材３００に対する当接部として用いることにより支持部材３００に接触させて走査結像素子１００を保持する。  
この凹部１００Ｂによって、第１実施例と同様にＨ２を小さくすることが可能となり、結果として走査結像素子１００の熱膨張時の反り変形を低減することができる。
【００３９】
また本実施例では、走査結像素子１００の光学面の主走査方向の幅より内側に、上記支持部材３００への突き当て部（凹部）１００Ｂ、いわゆる、当接部を形成しており、従って走査結像素子１００の主走査方向での長さを増大させることなく、上記の効果を得ることができる。さらに、上記のような構成を取ることにより、結果として２つの摩擦力が働く主走査方向での支持位置間隔および副走査方向での支持位置までの距離がそれぞれ短くなるので、主走査方向中央に向けたモーメントの大きさも支持位置が光学面の外側に位置する場合および副走査方向最大幅に位置する場合よりも低減でき、これによっても走査結像素子１００の反り変形量がさらに低減されることになる。
【００４０】
図８および図９に、本実施例における上記凹部の深さを０とした場合の走査結像素子の反り変形のシミュレーション結果を示す。  
図７は図８および図９のシミュレーションモデルを説明したものである。
【００４１】
図８および図９より、上記凹形状、つまり当接部として用いられる突き当て部１００Ｂがなくても、走査結像素子１００の副走査方向の支持部材３００への突き当て部を、主走査方向内側（主走査方向の中心に近い側）にずらすことによって、走査結像素子１００の熱膨張時の反り変形が低減できることがわかる。
【００４２】
さらに、上記支持部材３００への突き当て部１００Ｂを走査結像素子１００の主走査方向の長さＬに対して１／４以上内側、すなわちＬ／４≦Ｌ０（≦Ｌ／２）とすれば、従来構成すなわちＬ０＝０の時に比べ、反り変形量を１／４以上低減できる。  
但し、２つの支持部材３００の主走査方向の間隔が狭すぎると、走査結像素子１００が光軸に平行な軸を中心とした回転方向の位置決め精度が低下したり、走査結像素子１００の主走査方向両端部が大きく振動してしまうなどの不具合が生じやすくなるため、２つの支持部材３００の間隔は２０ｍｍ以上であることが望ましい。
【００４３】
図１０に本発明の第３実施例を示す。本実施例においては、走査結像素子１００の両端部は図１に示した第１実施例と同様な保持構造とされている。また、走査結像素子１００の主走査方向中央近傍には調整ねじ１０１が設けられ、光学箱に設けられた雌ねじ部３００Ａに挿入されて、調整ねじ１０１の先端部が走査結像素子１００に当接される。
【００４４】
調整ねじ１０１には対向して押圧ばね（図１０において便宜上、Ｆ：バネ押圧力と表示してある）が設けられており、調整ねじ１０１が常に走査結像素子１００に突き当たるようになっている。  
また、調整ねじ１０１の先端部は球面形状をなしており、従って調整ねじ１０１は走査結像素子１００に略点で接触する。  
点接触すると、この接触部に応力が集中し、調整ねじ１０１が走査結像素子にめり込む形で、走査結像素子１００の接触部が局所的に凹状に変形する。  
この結果、走査結像素子１００が熱膨張する際にも、調整ねじ１０１と走査結像素子１００との間では滑りが発生せず、走査結像素子１００の両端部支持部で円滑に滑りが発生する。
【００４５】
逆にこのような構成にしない場合には、両端の支持部と調整ねじ１０１の配置位置との３ヶ所のうち、どこが基準（固定点）となってどこが滑るのかが定まらず、調整ねじ１０１の配置位置でも滑りが発生してしまうことがあり、上述舌代１実施例の場合に挙げた作用が狙ったとおりに得られなくなってしまう。
【００４６】
なお、上記のように調整ねじ１０１の配置位置で滑りが発生しないようにするためには、略点接触とする代わりに、調整ねじ１０１に対して押圧する、図１０における中央部のばねの押圧力を、両端２ヶ所のばねよりも強くしてもよい。押圧力を強くすると、これに直行する方向に働く摩擦力の大きさが増大するためであり、すなわちこのような構成によって、両端部に働く摩擦力よりも中央部（調整ねじ接触部）に働く摩擦力を大きくすることができるためである。
【００４７】
また、上記のような調整ねじ１０１近傍の構成は、上記第２実施例のような走査結像素子１００に対して適用しても、図１０に示した実施例と同様の作用効果が得られる。
【００４８】
なお、図３および図４、または図８よび図９の差異の大きさからもわかるように、走査結像素子１００の主走査方向の長さが十分に短い場合には、従来構成でも大きな反り変形を生じることはない。従って、本発明では主走査方向の長さが１６０ｍｍ以上の走査結像素子に適用すると、より大きな効果を得られる。
【００４９】
以上のような実施例は、例えば図１１に示すような光走査装置に適用される。  
図１１の光走査装置において、光源ユニット２０１から射出された光束は、シリンドリカルレンズ２０２で副走査方向に集光され、ポリゴンミラー２０３によって偏向走査される。偏向走査された光束は、第一走査結像素子２０４、第二走査結像素子２０５を通り、２つの折り返しミラー２０６、２０７によって射出方向を変えられ、像面２０８に至る。また、２１１は画像書き出し位置を検知する同期検知手段を示している。  
第１乃至第３実施例において説明した構成を有する走査結像素子は、例えば図１１に示した光走査装置の第一または第二走査結像素子に適用される。
【００５０】
上記構成を備えた光走査装置は、図１２に示す画像形成装置に適用することが可能であり、以下に第４実施例としての画像形成装置の説明をする。
【００５１】
図１２において、画像形成装置の一つであるレーザプリンタ１１０は潜像担持体１１１として、円筒状に形成された光導電性の感光体を有している。潜像担持体１１１の周囲には、帯電手段としての帯電ローラ１１２、現像装置１１３、転写ローラ１１４、クリーニング装置１１５が配備されている。帯電手段としては、非接触方式であるコロナチャージャを用いることもできる。更に、レーザビームＬＢによる潜像担持体１１１への画像書込を行うための光走査装置として、上記実施例に挙げた構成の走査結像素子を装備している光走査装置１１７が設けられ、帯電ローラ１１２と現像装置１１３との間で、光書込による露光を行うようになっている。
【００５２】
図１２において、符号１１６は定着装置、符号１１８はカセット、符号１１９はレジストローラ対、符号１２０は給紙コロ、符号１２１は搬送路、符号１２２は排紙ローラ対、符号１２３はトレイ、符号Ｓは記録媒体としての転写紙を示している。
【００５３】
画像形成を行うときは、光導電性の感光体である像担持体１１１が時計回りに等速回転され、その表面が帯電ローラ１１２により均一帯電され、光走査装置１１７のレーザビームＬＢの光書込による露光を受けて静電潜像が形成される。形成された静電潜像は、所謂、ネガ潜像であって画像部が露光されている。  
この静電潜像は現像装置１１３により反転現像され、像担持体１１１上にトナー画像が形成される。  
転写紙Ｓを収納したカセット１１８は、画像形成装置であるレーザプリンタ１１０本体に脱着可能であり、図に示すように装着された状態において、収納された転写紙Ｓの最上位の１枚が給紙コロ１２０により給紙され、給紙された転写紙Ｓは、その先端部をレジストローラ対１１９に捕らえられる。レジストローラ対１１９は、像担持体１１１上のトナー画像が転写位置へ移動するのにタイミングを合わせて、転写紙Ｓを転写部へ送り込む。  送り込まれた転写紙Ｓは、転写部においてトナー画像と重ね合わせられ転写ローラ１１４の作用によりトナー画像を静電転写される。トナー画像を転写された転写紙Ｐは定着装置１１６へ送られ、定着装置１１６においてトナー画像を定着され、搬送路１２１を通り、排紙ローラ対１２２によりトレイ１２３上に排出される。  
トナー画像が転写された後の像担持体１１１の表面は、クリーニング装置１１５によりクリーニングされ、残留トナーや紙粉等が除去される。
【００５４】
潜像担持体１１１に光走査により潜像を形成し、上記潜像を可視化して所望の記録画像を得る画像形成装置において、潜像担持体１１１を光走査する光走査装置として、図１１に示した構成を有する光走査装置を用いるものであり、潜像担持体１１１は光導電性の感光体であり、その均一帯電と光走査とにより静電潜像が形成され、形成された静電潜像がトナー画像として可視化される。
【００５５】
なお、図１２では像担持体を１つだけ用いてモノクロ画像を形成する画像形成装置を実施例として示したが、本発明の適用はモノクロ画像形成装置に限るものではなく、特に例えば複数の像担持体を用いて複数の色のトナーを重ね合わせることによってカラー画像を形成する、タンデム型のカラー画像形成装置に適用すれば、各色のドットの位置精度が高められることから、色ずれの少ない良好なカラー画像を出力できるカラー画像形成装置を提供することができる。
【００５６】
また、このようなカラー画像形成装置に本発明を適用する場合には、例えば複数の像担持体に向かわせる複数の光束を1つの偏向器で偏向させるような光走査装置に適用すれば、同じ発熱源（偏向器）と各像担持体に対応した複数の走査結像素子とを同じ光学箱内に収容できるため、各像担持体に対応した複数の走査結像素子同士の温度分布の差異が小さくなり、従って結果として上記の各実施例における効果に加え、さらに各色のドット位置ずれの少ない、すなわち色ずれの少ない良好なカラー画像を出力できるカラー画像形成装置を提供することができる。
【図面の簡単な説明】
【００５７】
【図１】本発明による光走査装置に関する第１実施例に用いられる結像素子の支持構造を説明するための模式図である。
【図２】図１に示した構成に基づく反り変形のシミュレーションモデルを説明するための模式図である。
【図３】図２に示したシミュレーションにおいて摩擦作用位置の設定の一つと反り変形量との関係を説明するための線図である。
【図４】図２に示したシミュレーションにおいて摩擦作用位置の設定を変えた場合と反り変形量との関係を説明するための線図である。
【図５】本発明による光走査装置に関する第２実施例に用いられる結像素子の支持構造を説明するための模式図である。
【図６】図５に示した結像素子の下面を示す外観図である。
【図７】図５に示した構成に基づく反り変形のシミュレーションモデルを説明するための模式図である。
【図８】図５に示したシミュレーションにおいて摩擦作用位置の設定の一つと反り変形量との関係を説明するための線図である。
【図９】図５に示したシミュレーションにおいて摩擦作用位置の設定を変えた場合と反り変形量との関係を説明するための線図である。
【図１０】本発明による光走査装置に関する第３実施例に用いられる結像素子の支持構造を説明するための模式図である。
【図１１】本発明実施例に示した結像素子の支持構造を用いた光走査装置の一例を説明するための図である。
【図１２】本発明実施例による光走査装置を用いた画像形成装置の一例を説明するための模式図である。
【図１３】走査結像素子の支持構造に関する従来例を説明するための模式図であり、
【図１４】図１３に示した支持構造に基づく反り変形のシミュレーションを説明するための模式図である。
【図１５】図１４に示したシミュレーションによる反り変形の結果を示す模式図である。
【符号の説明】
【００５８】
１００，２０４，２０５  走査結像素子
１００Ａ，１００Ｂ  当接部として用いられる突き当て部（凹部）
１０１  調整ねじ
１１０  レーザプリンタ
３００  突き当て部となる支持部材
【図１】
2008058692.tif 000003
【図２】
2008058692.tif 000004
【図３】
2008058692.tif 000005
【図４】
2008058692.tif 000006
【図５】
2008058692.tif 000007
【図６】
2008058692.tif 000008
【図７】
2008058692.tif 000009
【図８】
2008058692.tif 000010
【図９】
2008058692.tif 000011
【図１０】
2008058692.tif 000012
【図１１】
2008058692.tif 000013
【図１２】
2008058692.tif 000014
【図１３】
2008058692.tif 000015
【図１４】
2008058692.tif 000016
【図１５】
2008058692.tif 000017